(57)【要約】【課題】複数の玉軸受を軸方向に積み重ねた場合、一方の玉軸受の冠型保持器が、他方の玉軸受の玉に当たらないようにする。【解決手段】内周に軌道面２１を形成した外輪２０と、外周に軌道面３１を形成した内輪３０と、両軌道面上を転動する複数の玉４０と、複数の玉４０を回転可能に保持する樹脂製の冠型保持器５０とを備え、冠型保持器５０は、複数の玉４０を挟んで軸方向に一側に配置される環状部５２と、環状部５２に対して複数の玉４０側へ軸方向に延び、円周方向に間隔を空けて複数配置した一対の爪５１とを備えた玉軸受において、外輪２０および内輪３０の軸方向の幅を短くして、冠型保持器の環状部５２を外輪２０の軸方向の一側の端面より軸方向の一側へ突出させ、外輪２０の軸方向の一側の端面から環状部５２の軸方向の一側の端面までの突出量を、外輪２０の軸方向の他側の端面から玉４０までの凹み量より小さくした。【選択図】図３
2015057558.tif 000002
【特許請求の範囲】
【請求項１】
内周に軌道面を形成した外輪と、この外輪の内周側に配置され、外周に軌道面を形成した内輪と、前記両軌道面間に配置されこれらに対し転動する複数の玉と、前記複数の玉を円周方向に間隔を空けて回転可能に保持する樹脂製の冠型保持器とを備え、
前記冠型保持器は、前記複数の玉を挟んで軸方向に一側に配置される環状部と、前記環状部に対して前記複数の玉側へ軸方向に延び、円周方向に間隔を空けて複数配置した一対の爪と、前記環状部および前記一対の爪によって形成され、前記玉を回転可能に保持するポケットとを備えた玉軸受において、
前記外輪および前記内輪の軸方向の幅を短くして、前記冠型保持器の前記環状部を前記外輪の軸方向の一側の端面より軸方向の一側へ突出させ、前記外輪の軸方向の一側の端面から前記環状部の軸方向の一側の端面までの突出量を、前記外輪の軸方向の他側の端面から前記玉までの凹み量より小さくしたことを特徴とする玉軸受。
【発明の詳細な説明】
【技術分野】
【０００１】
本発明は、冠型保持器を用いた玉軸受に関する。
【背景技術】
【０００２】
トランスミッションの回転軸を回転可能に支持するために、例えば特許文献１に示す玉軸受が使用される。トランスミッションの全長を短くするために、玉軸受の軸方向の幅を短くすることが要請されている。玉軸受の保持器として、低コストにし、玉軸受を貫通する潤滑油の油量をコントロールするために、樹脂製で冠型保持器が使用される。
【先行技術文献】
【特許文献】
【０００３】
【特許文献１】特開２００８−１８５１４１号公報
【発明の概要】
【発明が解決しようとする課題】
【０００４】
玉軸受の外輪および内輪の軸方向の幅を短くすると、冠型保持器の一部が、外輪の軸方向の一側の端面より軸方向に突出する。複数の玉軸受は、搬送時、あるいはトランスミッションの組立て場で軸方向に積み重ねられる場合がある。一方の玉軸受の冠型保持器が、他方の玉軸受の玉に当たった状態で、複数の玉軸受が軸方向に積み重ねられると、振動、衝撃によって、玉軸受の軌道面、玉の転動面に傷を付ける場合がある。
【課題を解決するための手段】
【０００５】
請求項１に記載の玉軸受は、内周に軌道面を形成した外輪と、この外輪の内周側に配置され、外周に軌道面を形成した内輪と、前記両軌道面間に配置されこれらに対し転動する複数の玉と、前記複数の玉を円周方向に間隔を空けて回転可能に保持する樹脂製の冠型保持器とを備え、前記冠型保持器は、前記複数の玉を挟んで軸方向に一側に配置される環状部と、前記環状部に対して前記複数の玉側へ軸方向に延び、円周方向に間隔を空けて複数配置した一対の爪と、前記環状部および前記一対の爪によって形成され、前記玉を回転可能に保持するポケットとを備えた玉軸受において、前記外輪および前記内輪の軸方向の幅を短くして、前記冠型保持器の前記環状部を前記外輪の軸方向の一側の端面より軸方向の一側へ突出させ、前記外輪の軸方向の一側の端面から前記環状部の軸方向の一側の端面までの突出量を、前記外輪の軸方向の他側の端面から前記玉までの凹み量より小さくしたことを特徴とする。
【発明の効果】
【０００６】
本発明によれば、外輪に対し冠型保持器の突出している方向を揃えて、複数の玉軸受を軸方向に積み重ねた場合、一方の玉軸受の冠型保持器が、他方の玉軸受の玉に当たらない。振動、衝撃がかかっても、玉軸受の軌道面、玉の転動面に傷を付ける恐れがない。
【図面の簡単な説明】
【０００７】
【図１】本発明の一実施形態における玉軸受の縦断面図
【図２】本発明の一実施形態における図１の玉および冠型保持器のＡ矢視図
【図３】本発明の一実施形態における複数の玉軸受の積み重ね状態図。
【発明を実施するための形態】
【０００８】
本発明の一実施形態について、図１乃至図３を参酌しつつ説明する。
【０００９】
図１に示すように、玉軸受１０は、リング状の外輪２０と、外輪２０の内周側に配置されたリング状の内輪３０と、外輪２０および内輪３０間に配置されたリング状の冠型保持器５０と、冠型保持器５０に回転可能に保持された複数の玉４０とからなっている。
【００１０】
外輪２０の内周には、断面円弧状の外輪側軌道面２１が形成され、外輪側軌道面２１を挟んで軸方向両側に、外輪側肩面２２が軸線と平行に形成されている。
【００１１】
内輪３０の外周には、断面円弧状の内輪側軌道面３１が形成され、内輪側軌道面３１を挟んで軸方向両側に、内輪側肩面３２が軸線と平行に形成されている。
【００１２】
図１および図２に示すように、冠型保持器５０は、円周方向に複数のポケット５３を有し、各ポケット５３に玉４０が回転可能に保持されている。ポケット５３は、軸方向において一側に開口せず、他側に開口する位置に形成されている。冠型保持器５０は、複数の玉４０を挟んで軸方向に一側に配置されたリング状の環状部５２と、環状部５２に対して複数の玉４０側へ軸方向に延び、円周方向に間隔を空けて複数配置した一対の爪５１とからなる。環状部５２は、軸方向において一側から玉４０の回転中心まで有し、一対の爪５１は、軸方向において玉４０の回転中心から玉４０の直径の４分の１だけ突出する位置まで有する。環状部５２および一対の爪５１によって玉４０を回転可能に保持するポケット５３が形成されている。ポケット５３は、球形状の一部を有している。
【００１３】
玉４０は、球形状を有する。玉４０の外周が外輪側軌道面２１および内輪側軌道面３１を転動する転動面となる。
【００１４】
外輪２０、内輪３０、玉４０は、鉄で構成され、冠型保持器５０は、樹脂で構成されている。
【００１５】
玉４０から外輪２０および内輪３０の軸方向の両端面までの距離が同じになるように、外輪２０および内輪３０の軸方向の幅を短くする。外輪２０および内輪３０の軸方向の幅を短くすると、冠型保持器５０の軸方向の一側が外輪２０および内輪３０の軸方向の一側の端面より軸方向に突出する。外輪２０および内輪３０の軸方向の幅を短くすると、外輪側肩面２２および内輪側肩面３２の軸方向の幅が短くなり、外輪側軌道面２１および内輪側軌道面３１の軸方向の幅は変わらないので、玉４０の転動に大きな影響を与えない。
【００１６】
外輪２０および内輪３０は、軸方向において同一の幅を有している。外輪２０の軸方向両側の端面は、内輪３０の軸方向両側の端面と同一の面を有する。図１および図３に示すように、外輪２０の軸方向の一側の端面から冠型保持器５０の軸方向の一側の端面までの突出量をｎとし、外輪２０の軸方向の他側の端面から玉４０までの凹み量をｍとすると、凹み量ｍの方が、突出量ｎより大きい関係が成り立つ。
【００１７】
続いて、玉軸受１０の組付け動作について説明する。
【００１８】
図１において、外輪２０に対して内輪３０を平行にかつ偏心して配置し、外輪２０および内輪３０間の偏心量が多い箇所に全ての玉４０を挿入し、玉４０を外輪２０の円周方向にずらして、外輪２０に対して内輪３０を同軸に配置する。玉４０を円周方向に等間隔に配置する。軸方向において一端側より冠型保持器５０を、外輪２０および内輪３０間に挿入し、玉４０によって一対の爪５１間が拡がる。さらに挿入すると、玉４０に倣って一対の爪５１間が狭まる方向へ一対の爪５１が弾性復帰する。こうして、玉４０は抜けないように一対の爪５１に保持される。
【００１９】
外輪２０および内輪３０間へ玉４０を挿入してから冠型保持器５０を玉４０に嵌めるため、外輪２０および内輪３０間へ玉４０の挿入作業が容易になる。
【００２０】
搬送時あるいはトランスミッションの組立て場において、複数の玉軸受１０は、外輪２０に対し冠型保持器５０の突出している方向を揃えて、軸方向に積み重ねられる場合がある。このとき、外輪２０の軸方向の一側の端面から冠型保持器５０の軸方向の一側の端面までの突出量ｎが、外輪２０の軸方向の他側の端面から玉４０までの凹み量ｍより小さいので、一方の玉軸受１０の冠型保持器５０が、他方の玉軸受１０の玉４０に当たらない。振動、衝撃がかかっても、玉軸受１０の両軌道面２１、３１、玉４０の転動面に傷を付ける恐れがない。
【００２１】
玉軸受１０は、内輪３０に図略の回転軸が挿入され、外輪２０はトランスミッションの図略のハウジングに挿入されて使用される。
【００２２】
玉軸受１０の使用状況について説明する。
【００２３】
回転軸とともに内輪３０を回転させると、外輪側軌道面２１および内輪側軌道面３１上を玉４０が転動し、玉４０は内輪３０の回転方向と同方向へ移動する。玉４０を保持する冠型保持器５０も玉４０と同方向へ移動する。外輪２０および内輪３０間を軸方向に潤滑油が貫通する。冠型保持器５０は、径方向に肉厚を持っているので、外輪２０および内輪３０間を流れる潤滑油の供給量を抑えことができる。
【００２４】
本発明はこうした実施形態に何等限定されるものではなく、本発明の要旨を逸脱しない範囲において、種々なる態様で実施し得ることは勿論である。
【００２５】
上述した実施形態は、冠型保持器５０が、軸方向において、一側から玉４０の回転中心まで環状部５２を有し、玉４０の回転中心から玉４０の直径の４分の１だけ突出する位置まで一対の爪５１を有する例について述べた。他の実施形態として、一対の爪５１の突出量を玉４０の直径の４分の３とし、環状部５２の軸方向の幅を一対の爪５１の突出量を増やした分だけ短くしても良い。
【符号の説明】
【００２６】
２０：外輪、３０：内輪、４０：玉、５１：一対の爪、５０：冠型保持器、５３：ポケット、ｍ：凹み量、ｎ：突出量
【図１】
2015057558.tif 000003
【図２】
2015057558.tif 000004
【図３】
2015057558.tif 000005